(57)【要約】      （修正有）【課題】開閉扉の強制的なこじ開けを困難にしたコインロッカー装置を提供する。【解決手段】各庫体の右側框１１にロック用ケーシング１２を備え、多軸蝶番１４を介して各庫の開閉扉を左側框１６に開閉可能に固定する一方、開閉扉１５は、開閉扉１５が庫体開口部を閉じた状態において、その左端部が左側框１６を被覆している。開閉扉１５は庫体開口部を閉じた状態において、その左端部が左側框を被覆しているので、開閉扉の右端部からバールのような工具を差し込んでも、右隣の開閉扉が邪魔になって当該工具を十分に回動させることが出来ない。【選択図】図１
0003176535.tif 000002
【実用新案登録請求の範囲】
【請求項１】
各庫体の右側框にロック用ケーシングを備えるコインロッカー装置において、
多軸蝶番を介して各庫の開閉扉を左側框に開閉可能に固定する一方、
前記開閉扉は、当該開閉扉が庫体開口部を閉じた状態において、その左端部が前記左側框を被覆していることを特徴とするコインロッカー装置。
【請求項２】
多軸蝶番は、二軸の蝶番であることを特徴とする請求項１記載のコインロッカー装置。
【考案の詳細な説明】
【技術分野】
【０００１】
本考案は、各庫体がロック用ケーシングを備えるコインロッカー装置に係り、特に開閉扉の取付構造に関する。
【背景技術】
【０００２】
ロック用ケーシングを備えるコインロッカー装置は、従来、例えば図８に示すように、庫体１の右側框２にロック用ケーシング３を配設し、開閉扉４の左端部を左側框５にヒンジＨを介して回動自在に軸着させてある。６は背板である（特許文献１）。
【０００３】
開閉扉４の表面は、右側框２の表面、ロック用ケーシング３の表面、左側框５の表面と略面一となるように設けてある。図９に、コインロッカー装置を正面から見たときの外観を示すと、開閉扉４の左右に框（２、５）があらわれる。ロック用ケーシング３の表面には、コイン投入口やキーの差込口などが設けられるが、図面の簡略のため詳細部分までは図示していない。
【先行技術文献】
【特許文献】
【０００４】
【特許文献１】特開２００３−１７８３７０号
【考案の開示】
【考案が解決しようとする課題】
【０００５】
従来のコインロッカー装置は、防犯の点で改善の余地を残している。
【０００６】
従来のコインロッカー装置は、開閉扉４の表面が、右側框２の表面と略面一であるため、図１０に示すように、開閉扉４の右端部の僅かな隙間からバールのような工具Ｐを差し込むと、右隣の庫体の開閉扉４Ｒの方向（矢印Ｘで示す方向）に工具Ｐを回動させる空間的余裕があり、工具Ｐを矢印Ｘ方向に回動させれば、開閉扉４をこじ開けることは可能である。
【０００７】
一方、コインロッカー装置は公共の場に設置されるので、防犯対策のためとはいえ、左側框５を大きく前方へ突出させる等、見栄えが悪いデザイン変更は好ましくない。
【０００８】
そこで、本考案の目的は、ロック用ケーシング３を備えるコインロッカー装置における、開閉扉４の強制的なこじ開けを困難化させる点にある。
【課題を解決するための手段】
【０００９】
前記目的を達成するため、本考案に係るコインロッカー装置は、各庫体の右側框にロック用ケーシングを備えるコインロッカー装置を技術的前提として、多軸蝶番を介して各庫の開閉扉を左側框に開閉可能に固定する一方、前記開閉扉は、当該開閉扉が庫体開口部を閉じた状態において、その左端部が前記左側框を被覆している（請求項１）。
【００１０】
本考案に係る開閉扉は、庫体開口部を閉じた状態において、その左端部が左側框を被覆しているので、開閉扉の右端部からバールのような工具を差し込んでも、右隣の開閉扉が邪魔になって当該工具を十分に回動させることが出来ない。これにより、工具を使った開閉扉のこじ開けは確実に難しくなる、また、左側框が開閉扉によって被覆されるので、見栄え（外観品質）も向上する。
【００１１】
このコインロッカー装置は、開閉扉の左端部が、左側框を被覆する構造なので、一軸ヒンジによる開閉はできない。このため、本考案に係るコインロッカー装置は、多軸蝶番を介して開閉扉を回動可能に軸支する。
【００１２】
多軸蝶番は、二軸の蝶番とする場合がある（請求項２）。本考案に係る開閉扉を開閉可能にする場合、二軸〜四軸蝶番を適宜用いることが出来るが、最も簡易な二軸蝶番を介して開閉扉の左端部を軸支すれば、コストも安く最も実用的な開閉構造とすることが出来る。
【考案の効果】
【００１３】
本考案に係るコインロッカー装置によれば、ロック用ケーシングを備えるコインロッカー装置において、開閉扉のこじ開けを困難化させることが出来る。
【図面の簡単な説明】
【００１４】
【図１】実施形態に係る開閉扉の取付状態を平面から示す図である。
【図２】実施形態に係るコインロッカー装置の外観を例示する図である。
【図３】図１の二軸蝶番を拡大して示す図である。
【図４】図３の状態から開閉扉が右方向に移動した状態を示す図である。
【図５】図１の開閉扉に工具を差し込んだ状態を示す図である。
【図６】図５の場合と違う方向から工具を差し込んだ状態を示す図である。
【図７】本考案に係る開閉扉の他の実施形態を示す図である。
【図８】従来の開閉扉の取付状態を示す図である。
【図９】従来のコインロッカー装置の外観を例示する図である。
【図１０】図８の開閉扉に工具を差し込んだ状態を示す図である。
【考案を実施するための形態】
【００１５】
図１は、本考案に係るコインロッカー装置の一実施形態を示すもので、複数ある庫体の一個を例にとって図示したものである。
【００１６】
このコインロッカー装置は、庫体１０の右側框１１にロック用ケーシング１２を備えており、多軸蝶番、例えば二軸蝶番１４を介して庫体１０の開閉扉１５を左側框１６に開閉可能に固定してある。また、この開閉扉１５は、当該開閉扉１５が庫体開口部を閉じた状態において、その左端部が左側框１６を被覆するよう設けてある。
【００１７】
開閉扉１５が左側框１６を覆っているので、図２に示すように、このコインロッカー装置を正面から見たときは、開閉扉１５の背後に隠れて左側框１６は外部に露出しない。左側框１６が見えないので、すっきりしたデザインとなって外観品質が向上する。
【００１８】
開閉扉１５を開閉可能に取り付ける二軸蝶番１４は、例えば図３に示すように、第一軸１４−１と第二軸１４−２を連絡板１４−３を介して連結し、第一軸１４−１を開閉扉１５の左端部裏面にビスＢで固定する一方、第二軸１４−２を左側框１６から若干離隔させた位置に配して、左側框１６の庫体開口側にビスＢを介して固定する。Ｑ１、Ｑ２は固定板である。
【００１９】
開閉扉１５を開けるときは、図４に示すように、第二軸１４−２を介して連絡板１４−３が矢印Ｚ１方向に動き、開閉扉１５が僅かに右へスライドする。前後して連続的に第一軸１４−１を介して固定板Ｑ１が図中矢印Ｚ２方向へ回動し、開閉扉１５が開く。開閉扉１５の右スライド量は僅かなので、利用者は開閉扉１５の動きに違和感を感じることなくスムーズに開閉操作を行うことが出来る。閉じるときは、開閉扉１５は逆向きに運動する。
【００２０】
二軸蝶番１４は、庫体の上下方向に適当間隔をもって二〜三個設けることが望ましい。
【００２１】
従って、かかるコインロッカー装置によれば、図５に示すように、開閉扉１５の右端部からバール等の工具Ｐを差し込んだときに、隣接する右隣の開閉扉１５Ｒが工具Ｐの差込位置より手前側に突出しているため、該工具Ｐを右方向（矢印Ｘ方向）に回動させる空間的余裕を狭める。この結果、工具Ｐの回動量が不十分となって開閉扉１５を強制的にこじ開けることは非常に困難となる。
【００２２】
図６に示すように、工具Ｐを開閉扉１５Ｒの左端から差し込んだ場合は、左側に隣接する開閉扉１５が、該工具Ｐを左方向に回動させる空間的余裕を狭めるので、工具Ｐの回動量が不十分となり開閉扉１５Ｒを強制的にこじ開けることを困難化させる。
【００２３】
左右いずれの端部から工具Ｐを差し込んでも、開閉扉１５の表面は当該工具Ｐの差込位置より手前側に突出しているので、工具Ｐを回動させる空間的余裕は少なくなり、よって開閉扉１５のこじ開けは確実に難しくなる。
【００２４】
工具Ｐによる開閉扉１５のこじ開けをより困難化させるには、開閉扉１５の手前側への突出量を大きくすること、あるいは、開閉扉１５の表面の左右端部の曲線ラインを直角ラインにする等してもよい。
【００２５】
しかしながら、このような方法によると、開閉扉１５の見栄えを低下させる可能性がある。そこで、より好ましくは、図７に示すように、開閉扉１５の裏面に若干の突出部１５−２を設け、この突出部１５−２を庫体の内側に入り込ませておく。突出部１５−２が庫体の内部空間に若干でも入っていれば、工具Ｐを開閉扉１５の端部から差し込んだ場合に、工具Ｐの回動支点が浅くなり、開閉扉１５のこじ開けはより困難となる。
【００２６】
前記説明では、二軸蝶番１４を介して開閉扉１５を開閉可能に取り付ける旨説明したが、二軸以上の多軸蝶番を用いても同様の作用効果を奏することが出来る。
【００２７】
また、本考案に係るコインロッカー装置は、ロック用ケーシング１２を備えるものであるが、開閉扉１５の開閉操作は、ロック用ケーシング１２に投入されたコインによる開閉制御に限らず、ＩＣチップ或いは磁気カードの課金精算データに基づくロック機構のオンオフ制御に基づいて行っても良い。
【符号の説明】
【００２８】
１０  庫体
１１  右側框
１２  ロック用ケーシング
１４  二軸蝶番（多軸蝶番）
１４−１  第一軸
１４−２  第二軸
１４−３  連絡板
１５  開閉扉
１６  左側框
Ｂ  ビス
Ｑ１、Ｑ２  固定板
【図１】
0003176535.tif 000003
【図２】
0003176535.tif 000004
【図３】
0003176535.tif 000005
【図４】
0003176535.tif 000006
【図５】
0003176535.tif 000007
【図６】
0003176535.tif 000008
【図７】
0003176535.tif 000009
【図８】
0003176535.tif 000010
【図９】
0003176535.tif 000011
【図１０】
0003176535.tif 000012